(57)【要約】【課題】  防犯性に優れると共に部品点数が少なく且つ簡易な構成のすべり出し障子開閉装置を提供する。【解決手段】  主アーム９の第１係合部２１を主ガイド部３１に第２係合部２３を補助ガイド部３３に各々係合し且つ第３係合部２５を障子側ガイド部３９に係合してあり、補助アーム１５は主アーム側端部１５ａをロック鎌受け２０とロック溝４９との間で主アーム９に軸着してあり且つ枠側端部１５ｂを回転体４５に軸着してあり、操作部４７の操作による回転体４５の回転に伴ない主アーム９及び補助アーム１５が枠２９内に引き寄り、第３係合部２５が框長手方向ガイド部４１に係合し、第１係合部２１が枠長手方向ガイド部３５に係合し、第１係合部２１、第２係合部２３及び第３ガイド部２５が各々長手方向に移動することにより、主アーム９が枠長手方向に移動して、ロック部材１９がロック溝２７に係止し且つロック鎌受け２０がロック鎌４９に係止する。【選択図】      図１
2005350947.tif 000002
【特許請求の範囲】
【請求項１】
主アームと、主アーム枠側固定具と、主アーム障子側固定具と、補助アームと、補助アーム枠側固定具と、障子の框外周側面に固定したロック部材とを備え、主アームは枠側端部に設けた第１係合部と第２係合部と、障子側端部に設けた第３係合部と、長手方向中間部に設けたロック溝とロック鎌受けとを有し、ロック溝は主アームの長手方向に沿って設けてあり且つロック部材の挿入孔を有しており、主アーム枠側固定具は枠内周側面に固定してあり、第１係合部をガイドする主ガイド部と第２係合部をガイドする補助ガイド部とを有し、主ガイド部は枠の長手方向に沿って設けた枠長手方向ガイド部と枠長手方向ガイド部に連続して室外側に向けて傾斜した傾斜ガイド部とから成り、補助ガイド部は枠の長手方向に沿って設けてあり、主アーム障子側固定具は障子の框外周側面に固定してあり、第３係合部をガイドする障子側ガイド部を有し、障子側ガイド部は框の長手方向に沿って設けた框長手方向ガイド部と框長手方向ガイド部に連続して室内側に向けて傾斜した傾斜ガイド部とから成り、補助アーム枠側固定具は、枠内周側面に固定してあり且つ操作部と、操作部の操作により正逆回転する回転体と、ロック鎌とを有し、主アームの第１係合部を主ガイド部に第２係合部を補助ガイド部に各々係合し且つ第３係合部を障子側ガイド部に係合してあり、補助アームは主アーム側端部をロック鎌受けとロック溝との間で主アームに軸着してあり且つ枠側端部を回転体に軸着してあり、操作部の操作による回転体の回転に伴ない主アーム及び補助アームが枠内に引き寄り、第３係合部が框長手方向ガイド部に係合し、第１係合部が枠長手方向ガイド部に係合し、第１係合部、第２係合部及び第３ガイド部が各々長手方向に移動することにより、主アームが枠長手方向に移動して、ロック部材がロック溝に係止し且つロック鎌受けがロック鎌に係止することを特徴とするすべり出し障子開閉装置。
【発明の詳細な説明】
【技術分野】
【０００１】
本発明は、すべり出し障子開閉装置に関する。
【背景技術】
【０００２】
特許文献１には、主アームの長手方向中間部にロック部材を設け、補助アームに係合するスライダーにロック溝を設けて、障子を枠に引き寄せたときにスライダーが移動してロック部材にロック溝が係止して、枠に障子をロックするすべり出し障子開閉装置が開示されている。
特許文献２には、障子框外周側面にロック鎌受けを設け、枠にロック鎌を設けて、障子を枠に引き寄せた後に障子が枠長手方向に移動してロック鎌受けがロック鎌に係止して、枠に障子をロックするすべり出し障子開閉装置が開示されている。
【０００３】
【特許文献１】特開平２０００−６４７０８号公報
【特許文献２】実公平７−３４１３３号公報
【発明の開示】
【発明が解決しようとする課題】
【０００４】
しかし、上述のいずれの従来技術でも、障子と枠とは、一箇所のみでロックするものであるが、複数箇所で枠と障子をロックして防犯性を高めることが望まれている。
ところが、複数箇所でロックする構成とした場合には、ロック部材と、これに係止するロック溝と、ロック鎌とこれを受けるロック鎌受けと個々に枠や障子に設け且つ従来技術のようなスライダー等が必要になるため部品点数が増加すると共に構成が複雑になったり、大型化するという問題がある。
【０００５】
そこで、本発明は、防犯性に優れると共に部品点数が少なく且つ簡易な構成のすべり出し障子開閉装置の提供を目的とする。
【課題を解決するための手段】
【０００６】
請求項１に記載の発明は、主アームと、主アーム枠側固定具と、主アーム障子側固定具と、補助アームと、補助アーム枠側固定具と、障子の框外周側面に固定したロック部材とを備え、主アームは枠側端部に設けた第１係合部と第２係合部と、障子側端部に設けた第３係合部と、長手方向中間部に設けたロック溝とロック鎌受けとを有し、ロック溝は主アームの長手方向に沿って設けてあり且つロック部材の挿入孔を有しており、主アーム枠側固定具は枠内周側面に固定してあり、第１係合部をガイドする主ガイド部と第２係合部をガイドする補助ガイド部とを有し、主ガイド部は枠の長手方向に沿って設けた枠長手方向ガイド部と枠長手方向ガイド部に連続して室外側に向けて傾斜した傾斜ガイド部とから成り、補助ガイド部は枠の長手方向に沿って設けてあり、主アーム障子側固定具は障子の框外周側面に固定してあり、第３係合部をガイドする障子側ガイド部を有し、障子側ガイド部は框の長手方向に沿って設けた框長手方向ガイド部と框長手方向ガイド部に連続して室内側に向けて傾斜した傾斜ガイド部とから成り、補助アーム枠側固定具は、枠内周側面に固定してあり且つ操作部と、操作部の操作により正逆回転する回転体と、ロック鎌とを有し、主アームの第１係合部を主ガイド部に第２係合部を補助ガイド部に各々係合し且つ第３係合部を障子側ガイド部に係合してあり、補助アームは主アーム側端部をロック鎌受けとロック溝との間で主アームに軸着してあり且つ枠側端部を回転体に軸着してあり、操作部の操作による回転体の回転に伴ない主アーム及び補助アームが枠内に引き寄り、第３係合部が框長手方向ガイド部に係合し、第１係合部が枠長手方向ガイド部に係合し、第１係合部、第２係合部及び第３ガイド部が各々長手方向に移動することにより、主アームが枠長手方向に移動して、ロック部材がロック溝に係止し且つロック鎌受けがロック鎌に係止することを特徴とする。
【発明の効果】
【０００７】
請求項１に記載の発明によれば、障子と枠は、ロック部材とロック溝とによるロックとロック鎌受けとロック鎌とによるロックとの複数箇所でロックするので、防犯性が高い。
ロック部材を係止するロック溝を主アームに設けてあるから、部品点数を少なくできる。
主アームが枠長手方向に移動して、ロック部材をロック溝に係止すると共にロック鎌受けをロック鎌に係止する構成であるから、主アームと補助アームとの他に従来技術のようなスライダーを必要とせず、部品点数を少なくでき、構成が簡易であると共にコンパクトな構成にできる。
【発明を実施するための最良の形態】
【０００８】
以下に、添付図面を参照して本発明の実施の形態を説明する。図１は本実施の形態にかかるすべり出し障子開閉装置の開き状態を示す正面図であり、図２はすべり出し障子開閉装置の動きを示す図であり、（ａ）〜（ｃ）は障子の引き寄せからロックに至るすべり出し障子開閉装置の正面図であり、図３は図２（ｃ）におけるすべり出し障子開閉装置の側面図であり、図４は本実施の形態にかかるすべり出し障子開閉装置を備えるすべり出しサッシの横断面図である。
本実施の形態にかかるすべり出し障子開閉装置１は、高所に設けられたたてすべり出しサッシ３に設けており、障子５の左右一方の竪框７を外側に出して開くものである。
すべり出し障子開閉装置１は、主アーム９と、主アーム枠側固定具１１と、主アーム障子側固定具１３と、補助アーム１５と、補助アーム枠側固定具１７と、ロック部材１９とを備えている。
主アーム９は、枠側端部９ａに設けた第１係合部２１と第２係合部２３と、障子側端部９ｂに設けた第３係合部２５と、長手方向中間部に設けたロック溝２７とロック鎌受け２０とを有している。第１係合部２１と第２係合部２３は各々ピンである。ロック溝２７は主アーム９の長手方向に沿って設けてあり且つロック部材１９の挿入口２７ａを有している。
主アーム枠側固定具１１は枠２９の内周側面３ａに固定してあり、枠２９は竪枠である。主アーム枠側固定具１１には、第１係合部２１に係合して第１係合部２１をガイドする主ガイド部３１と、第２係合部２３に係合して第２係合部２３をガイドする補助ガイド部３３とを有しており、主ガイド部３１と補助ガイド部３３とはそれぞれ長孔である。主ガイド部３１は枠２９の長手方向に長い枠長手方向ガイド部３５と枠長手方向ガイド部３５に連続して且つ室外側に向けて傾斜した傾斜ガイド部３７とから成っている。補助ガイド部３３は竪枠長手方向に沿って設けてある。
主アーム障子側固定具１３は障子５の框外周側面５ａに固定してある。主アーム障子側固定具１３は、第３係合部２５に係合してガイドする障子側ガイド部３９を有しており、障子側ガイド部３９は長孔であり、竪框７の長手方向に長い框長手方向ガイド部４１と框長手方向ガイド部４１の上方で連続しており、室内側に向けて上方が傾斜した傾斜ガイド部４３とから成っている。尚、障子側ガイド部３９の上部にある大径部４０は第３係合部２５を取付ける為に設けている。
補助アーム１５は主アーム側端部１５ａをロック鎌受け２０とロック溝２７との間に軸着してあり且つ枠側端部１５ｂを下記する回転体４５に軸着してある。
補助アーム枠側固定具１７は、操作部４７と、回転体４５と、ロック鎌４９とを有しており、主アーム枠側固定具１１の下方で枠２９に固定してある。回転体４５は操作部４７の操作により正逆回転するようになっており、操作部４７は紐５１で操作するようになっている。
ロック鎌４９は補助アーム枠側固定具１７の固定板４８に設けてあり、且つ鎌を上向きにしてロック鎌受け２０がロック鎌４９に上方から係止するようになっている。
回転体４５は歯車部５３と歯車部５３の回転により揺動する腕部５５とを有しており、腕部５５に補助アーム１５の枠側端部１５ｂが軸着してある。
ロック部材１９は軸状を成しており、障子５の框外周側面５ａに固定してある。
【０００９】
次に、本実施の形態にかかるすべり出し障子開閉装置１の作用及び効果について説明する。
障子を開いた状態（図１）にあるときには、第１係合部２１は主ガイド部３１の傾斜ガイド部３７に係合しており、第２係合部２３は補助ガイド部３３に係合しており、第３係合部２５は障子側ガイド部３９の傾斜ガイド部４３に係合している。
障子を開いた位置から閉じる場合に操作部４７を操作すると（図２（ａ））、回転体４５が回転して、補助アーム１５が軸着している主アーム９が第２係合部２３を軸回りに回転して主アーム９及び補助アーム１５が枠２９内に引き寄る。これにより、主アーム枠側固定具１１では、主アーム９の第１係合部２１が主ガイド部３１の傾斜ガイド部３７に沿って移動し、第２係合部２３は補助ガイド部３３の上端部の位置に留まっている。一方、第３係合部２５は障子側ガイド部３９の傾斜ガイド部４３に沿って移動することにより障子５を枠内に引き寄せる。
更に操作部４７を操作して障子５が枠内に引き寄ると（図２（ｂ））、第１係合部２１が枠長手方向ガイド部３５に係合し、第３係合部２５は框長手方向ガイド部４１に係合する。また、ロック部材１９が挿入孔２７ａからロック溝２７に入り込み、ロック鎌受け２０がロック鎌４９の上方に位置してロック鎌４９に対向して位置する。
引き続き操作部４７を操作して回転体４５が回転すると（図２（ｃ））、第１係合部２１が枠長手方向ガイド部３５を下方に移動すると共に第２係合部２３が長手方向ガイド部を下方に移動し、第３係合部２５が框長手方向ガイド部４１を下方に移動して、主アーム９が枠長手方向を下方に移動することにより、障子５に設けてあるロック部材１９に対してロック溝２７が下方に移動してロック溝２７に係止し、同時に、ロック鎌受け２０が下方に移動してロック鎌４９に係止する。
本実施の形態によれば、障子５を閉じたときに障子５は枠２９に、ロック部材１９とロック鎌受け２０とによるロックと、ロック鎌受けとロック鎌とによるロックとの複数箇所でロックするので、防犯性が高い。
ロック部材１９を係止するロック溝２７を主アーム９に設けてあるから、部品点数を少なくできる。
主アーム９が枠長手方向に移動して、ロック部材１９をロック溝２７に係止すると共にロック鎌受け２０をロック鎌４９に係止する構成であるから、主アーム９と補助アーム１５との他に従来技術のようなスライダーを必要とせず、部品点数を少なくでき、構成が簡易であると共にコンパクトな構成にできる。
主ガイド部３１が枠長手方向ガイド部３５と傾斜ガイド部３７から成り、障子側ガイド部３９が框長手方向ガイド部４１と傾斜ガイド部４３から成り、補助ガイド部３３を長手方向に沿って設けてあり、主アーム９を回転させたり長手方向へ移動させたりしているので、簡易な構成で主アーム９の移動方向を変えることができる。
【００１０】
本発明は、上述した実施の形態に限らず、本発明の要旨を逸脱しない範囲で種々変形可能である。
例えば、すべり出し障子開閉装置１はたてすべり出しサッシに用いたが、よこすべり出しサッシに用いるものであってもよい。
主ガイド部３１、補助ガイド部３３及び障子側ガイド部３９はそれぞれ長孔に限らず、長溝であってもよい。
【図面の簡単な説明】
【００１１】
【図１】本実施の形態にかかるすべり出し障子開閉装置の開き状態を示す正面図である。
【図２】すべり出し障子開閉装置の動きを示す図であり、（ａ）〜（ｃ）は障子の引き寄せからロックに至るすべり出し障子開閉装置の正面図である。
【図３】図２（ｃ）におけるすべり出し障子開閉装置の側面図である。
【図４】すべり出し障子開閉装置を取付けたすべり出しサッシの横断面図である。
【符号の説明】
【００１２】
１      すべり出し障子開閉装置
５      障子
９      主アーム
１１    主アーム枠側固定具
１３    主アーム障子側固定具
１５    補助アーム
１７    補助アーム枠側固定具
１９    ロック部材
２０    ロック鎌受け
２１    第１係合部
２３    第２係合部
２５    第３係合部
２７    ロック溝
２７ａ  挿入口
２９    枠
３１    主ガイド部
３３    補助ガイド部
３５    枠長手方向ガイド部
３７    傾斜ガイド部
３９    障子側ガイド部
４１    框長手方向ガイド部
４３    傾斜ガイド部
４５    回転体
４７    操作部
４９    ロック鎌
【図１】
2005350947.tif 000003
【図２】
2005350947.tif 000004
【図３】
2005350947.tif 000005
【図４】
2005350947.tif 000006